(57)【要約】【課題】モータを駆動源として使用しても小型化が可能なシリンダ錠の提供を目的とする。【解決手段】シリンダケース１内に回転自在に挿入されるプラグ２と、プラグ２の長手方向に沿って配置されるモータ３によりプラグ２の長手方向に沿う回転軸周りに駆動されるウォーム４と、バネ性を有する材料により形成され、ウォーム４の回転軸に対して直交方向を向く揺動中心周りに揺動自在で、一端に弾性的に撓んで前記ウォーム４に圧接状態で噛合する噛合脚部５を備えた動力伝達バネ６と、動力伝達バネ６の他端に連結されてシリンダケース１からプラグ２内に突出駆動され、プラグ２の回転を規制するロックバー７とを有して構成する。【選択図】  図２
2004324293.tif 000002
【特許請求の範囲】
【請求項１】
シリンダケース内に回転自在に挿入されるプラグと、
プラグの長手方向に沿って配置されるモータによりプラグの長手方向に沿う回転軸周りに駆動されるウォームと、
バネ性を有する材料により形成され、ウォームの回転軸に対して直交方向を向く揺動中心周りに揺動自在で、一端に弾性的に撓んで前記ウォームに圧接状態で噛合する噛合脚部を備えた動力伝達バネと、
動力伝達バネの他端に連結されてシリンダケースからプラグ内に突出駆動され、プラグの回転を規制するロックバーとを有するシリンダ錠。
【請求項２】
前記動力伝達バネは、コイル部から延長される一方の脚部を直交方向に折曲して噛合脚部とし、他端部がロックバーに連結されるコイルスプリングである請求項１記載のシリンダ錠。
【請求項３】
前記動力伝達バネは、コイル部をシリンダケースに形成された凹部に載置して保持される請求項２記載のシリンダ錠。
【発明の詳細な説明】
【０００１】
【発明の属する技術分野】
本発明はシリンダ錠に関するものである。
【０００２】
【従来の技術】
シリンダ錠のプラグの回転を規制する施錠体をモータにより駆動するシリンダ錠としては、特許文献１に記載されたものが知られている。
【０００３】
この従来例において、回転部（プラグ）とプラグが収容される固定部（プラグケース）とには貫通状の穴が開設され、抑止要素（施錠体）が挿入される。施錠体は穴内を移動自在であり、先端がプラグ側の穴に挿入することによりプラグの回転を阻止する。
【０００４】
また、上記プラグケースに固定されるカラーには、一端が適宜の支点に支承され、他端がモータに固定されるウォームに噛合するレバーが配設される。このレバーの長手方向中心部には施錠体が連結されており、モータを回転させるとレバーが支点周りに傾動し、施錠体を駆動する。
【０００５】
【特許文献１】
特表２００１−５０６３３４号公報
【０００６】
【発明が解決しようとする課題】
しかし、上述した従来例においては、レバーがウォームと支点とにより両端が支持された状態で保持され、かつ、ウォームによるレバーの駆動方向を直接施錠体の作動方向に一致させるために、モータ及びウォームがプラグに対して直交方向に配置する必要があり、装着のために大きなスペースを必要とし、小型化が困難であるという問題がある。
【０００７】
本発明は、以上の欠点を解消すべくなされたものであって、モータを駆動源として使用しても小型化が可能なシリンダ錠の提供を目的とする。
【０００８】
【課題を解決するための手段】
本発明によれば上記目的は、
シリンダケース１内に回転自在に挿入されるプラグ２と、
プラグ２の長手方向に沿って配置されるモータ３によりプラグ２の長手方向に沿う回転軸周りに駆動されるウォーム４と、
バネ性を有する材料により形成され、ウォーム４の回転軸に対して直交方向を向く揺動中心周りに揺動自在で、一端に弾性的に撓んで前記ウォーム４に圧接状態で噛合する噛合脚部５を備えた動力伝達バネ６と、
動力伝達バネ６の他端に連結されてシリンダケース１からプラグ２内に突出駆動され、プラグ２の回転を規制するロックバー７とを有するシリンダ錠を提供することにより達成される。
【０００９】
シリンダ錠はシリンダケース１内にプラグ２を回転自在に挿入して形成され、プラグ２のシリンダケース１に対する相対回転を規制し、施錠状態を作り出すために、シリンダケース１側からプラグ２に向かって進退するロックバー７が配置される。
【００１０】
このロックバー７を駆動するために、モータ３により回転駆動されるウォーム４と、ウォーム４の回転運動をロックバー７の進退移動に変換するための動力伝達バネ６が配置される。ウォーム４が回転すると、動力伝達バネ６はウォーム４との噛合脚部５がウォーム４の回転軸方向に移動するために、動力伝達脚はウォーム４に対して直交方向を向く揺動中心周りに揺動し、他端に連結されたロックバー７が駆動される。
【００１１】
モータ３及びウォーム４のように、長手方向寸法が直交方向の寸法に比して大きな部品を、同様に長手方向寸法が大きなシリンダケース１の長手方向に沿って配置する本発明において、モータ３等の収容による装置の大型化を防ぎ、装置を可及的に小型化することが可能になる。
【００１２】
また、ウォーム４をプラグ２の長手方向に配置することにより、ウォーム４とロックバー７との移動方向は概ね直交する位置関係となり、一般には複雑な方向変換機構が必要となるが、本発明においては、揺動中心がウォーム４に対して直交方向を向く動力伝達バネ６の一端をウォーム４に噛合させ、他端をロックバー７に連結するという簡単な構造を採用することにより装置の小型化が達成される。
【００１３】
さらに、動力伝達バネ６はバネ性を有する材料により形成されるために、ウォーム４の回転方向に対応する方向に撓みながらモータ３の回転力を伝達する。この結果、噛合脚部５は概ねウォーム４に圧接状態となっているために、噛合脚部５のウォーム４からの脱落等が発生することがなく、高い動作信頼性を確保することができる。
【００１４】
【発明の実施の形態】
図１に示すように、シリンダ錠は、シリンダケース１内にプラグ２を回転自在に挿入して形成される。シリンダケース１とプラグ２には、ドライブピン１０とタンブラピン１１とが径方向に移動自在に挿入されており、シリンダケース１側に配置される圧縮スプリング１２により中心方向に付勢される。
【００１５】
これらドライブピン１０とタンブラピン１１とは、図１（ｂ）に示すプラグ２の初期回転姿勢において一直線状に配列され、タンブラピン１１の先端がプラグ２の長手方向に形成されるキー挿入溝２ａ内に突出する。この状態においてドライブピン１０とタンブラピン１１との境界はプラグ２のシリンダケース１に対する回転境界からずれており、プラグ２をシリンダケース１に対して相対回転させることができない（施錠状態）。
【００１６】
施錠状態において真正の解錠コードを備えた解錠キー（図示せず）をキー挿入溝２ａに挿入すると、タンブラピン１１は解錠キーにより外方に押し出されてドライブピン１０との境界がプラグ２の回転境界に一致することから、プラグ２への回転操作が許容される（解錠状態）。
【００１７】
シリンダ錠は、以上のタンブラピン１１により形成される施解錠状態に加え、適宜の電気的解錠信号により形成される施解錠状態を有しており、これらタンブラピン１１への機械的操作と、図外の受信部に送信される電気的解錠信号の双方が独立に真正である場合にのみ実質的な解錠状態に移行し、プラグ２への回転操作が許容される。
【００１８】
この実施の形態において、電気的解錠信号の発信手段には上記タンブラピン１１を操作する解錠キーに埋め込まれたＲＦ−ＩＤ（Ｒａｄｉｏ  Ｆｒｅｑｕｅｎｃｙ  ＩＤｅｎｔｉｆｉｃａｔｉｏｎ）タグが使用され、シリンダケース１には、上記ＲＦ−ＩＤと交信するためのコイル１ａが実装基板１ｂ上に固定される。
【００１９】
電気的解錠信号が真正である場合に駆動される電気錠部分は、図２に示すように、プラグ２の長手方向、すなわち、解錠キーの挿入方向と平行に長手方向を向けてシリンダケース１内に配置されるモータ３と、ウォーム４と、ロックバー７とを備える。図２においてウォーム４はモータ３の駆動軸に直接固定されているが、適宜の歯車列を介して駆動軸の回転動力を間接的に伝達されるように構成することもできる。
【００２０】
ロックバー７は、プラグ２の回転中心方向に移動自在にシリンダケース１内に収容される。このロックバー７は、プラグ２が初期回転位置にある際に、該プラグ２に形成されたバー受容部２ｂに正対する。
【００２１】
モータ３をアクチュエータとしてロックバー７を駆動するために、シリンダケース１には動力伝達バネ６が配置される。動力伝達バネ６は、コイル部８が４〜１０巻き程度の比較的巻き数の少ないコイルスプリングにより形成され、コイル部８から延設される脚部はコイル部８の中心軸方向に折り曲げられ、一方が噛合脚部５とされる。
【００２２】
以上のように形成される動力伝達バネ６は、コイル部８の中心軸がウォーム４の回転中心に対して直角方向を向くように配置される。動力伝達バネ６をコイル部８を挿通して姿勢を規制する中心軸部材を使用することなく所定姿勢で保持するために、シリンダケース１には凹部９が形成され、動力伝達バネ６は、コイル部８を凹部９に載せた状態で所定姿勢で保持される。
【００２３】
装着状態において動力伝達バネ６の噛合脚部５は図１（ａ）及び図２に示すように、ウォーム４の螺旋歯の側壁面に当接し、噛合脚部５がウォーム４の前端に当接した状態において動力伝達バネ６の他方の脚部６ａをロックバー７に形成されたスプリング挿通孔７ａに挿入すると、ロックバー７は、図１（ａ）に示すように、プラグ２側への突出ストローク終端位置までドライブされる。この状態でロックバー７はプラグ２のバー受容部２ｂに挿入した状態となり、プラグ２への回転操作が禁止される施錠状態となる。
【００２４】
この状態からモータ３を駆動してウォーム４を解錠方向に回転させると、図３に示すように、噛合脚部５はウォーム４のモータ３側端部に向けて引き込まれ、その結果、動力伝達バネ６にはコイル部８を縮径させる方向のトルクが与えられ、ロックバー７はプラグ２のバー受容部２ｂから退避する。この状態がプラグ２への回転操作が許容される解錠状態となり、このようにモータ３の回転駆動方向によりロックバー７を施錠位置と解錠位置との間で駆動することができる。バー受容部２ｂはプラグ２の初期回転位置でのみロックバー７に正対するように形成されているために、一旦プラグ２が回転すると、誤ってプラグ２をロックすることがなく、円滑な回転操作が保証される。
【００２５】
なお、施錠状態でモータ３を施錠方向に回転させ、あるいは解錠状態で解錠方向に回転させても、噛合脚部５はウォーム４の軸方向に移動することはないために、ロックバー７の状態変化は生じることはなく、かつ、モータ３に過大な負荷が加わることもない。
【００２６】
したがってこの実施の形態において、シリンダ錠が施錠状態のときには、図１に示すように、タンブラピン１１とロックバー７との双方が施錠状態となっており、プラグ２を回転させるためには、電気錠部分とタンブラピン１１とを同時に解錠状態に移行させる必要がある。この結果、例えば、ピッキング等によりタンブラピン１１を不正操作して解錠状態に移行させても、ロックバー７が依然施錠状態であるために、プラグ２を回転操作することができないために、防犯性能が飛躍的に向上する。
【００２７】
また、プラグ２が初期回転位置から回転した状態において電気錠部分に施錠信号が伝達され、モータ３が駆動された場合には、動力伝達バネ６のコイル部８が撓んで噛合脚部５のウォーム４上の位置とロックバー７との対応のずれを吸収するために、モータ３に過大な負荷が加わることもなく、さらに、この状態でプラグ２が初期回転位置に復帰すると、動力伝達バネ６の弾性復元力によりロックバー７はバー受容部２ｂ内に落ち込み、施錠状態に移行することができる。
【００２８】
なお、以上においては、タンブラピン１１による施解錠手段と電気錠部分の双方を備えたシリンダ錠について説明したが、電気錠部分のみによってシリンダ錠を構成することも可能である。
【００２９】
【発明の効果】
以上の説明から明らかなように、本発明によれば、モータを駆動源として組み込んでも、小型化が可能なシリンダ錠を得ることができる。
【図面の簡単な説明】
【図１】本発明を示す図で、（ａ）は縦断面図、（ｂ）は（ａ）の１Ｂ−１Ｂ線断面図である。
【図２】図１の要部を示す斜視説明図である。
【図３】解錠状態を示す図で、（ａ）は縦断面図、（ｂ）は（ａ）の要部を示す斜視説明図である。
【符号の説明】
１        シリンダケース
２        プラグ
３        モータ
４        ウォーム
５        噛合脚部
６        動力伝達バネ
７        ロックバー
８        コイル部
９        凹部
【図１】
2004324293.tif 000003
【図２】
2004324293.tif 000004
【図３】
2004324293.tif 000005